(57)【特許請求の範囲】
【請求項１】
被写体を撮影する撮影手段と、
自分自身の１つの筐体に固定されて設置され、前記撮影手段により撮影された複数の前記被写体の画像を、各画像の下方向が互いに角度を有するように、それぞれ異なる方向に表示する表示手段と、
前記表示手段によりそれぞれ異なる方向に表示された複数の前記画像毎に設けられ、それぞれ、各画像に対する編集入力を受け付ける複数の入力受付手段と、
複数の前記入力受付手段により受け付けられた各画像に対する編集入力に基づいて各画像をそれぞれ編集する編集手段と
を備えることを特徴とする画像印刷装置。
【請求項２】
前記表示手段は、前記筐体の両側面からそれぞれ所定の距離だけ内部側の所定の位置に、前記筐体の前面から突出した状態で設けられている
ことを特徴とする請求項１に記載の画像印刷装置。
【請求項３】
編集対象として選択された複数の前記画像の表示位置の交換を指示する指示手段をさらに備え、
前記表示手段は、前記指示手段により前記表示位置の交換が指示されたとき、複数の前記画像の表示位置をそれぞれ交換して表示する
ことを特徴とする請求項１または２に記載の画像印刷装置。
【請求項４】
前記表示手段は、３つの前記画像を、前記撮影手段により撮影される正面、および、前記正面に対して左右のそれぞれに向けて表示する
ことを特徴とする請求項１乃至３のいずれかに記載の画像印刷装置。
【請求項５】
前記表示手段は、１つの表示部よりなり、前記撮影手段により撮影された複数の前記被写体の画像が、各画像の下方向が互いに角度を有するように、それぞれ異なる方向に表示された１つの画面を前記表示部に表示する
ことを特徴とする請求項１乃至４のいずれかに記載の画像印刷装置。
【請求項６】
被写体を撮影するように制御する撮影制御ステップと、
１つの筐体に固定されて設置される表示部に、前記撮影制御ステップの処理により制御されて撮影された複数の前記被写体の画像を、各画像の下方向が互いに角度を有するように、それぞれ異なる方向に表示するように制御する表示制御ステップと、
前記表示制御ステップの処理により制御されてそれぞれ異なる方向に表示された複数の前記画像毎に設けられた複数の入力部を制御し、それぞれの入力部において、各画像に対する編集入力を受け付けるように制御する入力受付制御ステップと、
前記入力受付制御ステップにより受け付けられた各画像に対する編集入力に基づいて各画像をそれぞれ編集する編集ステップと
を含むことを特徴とする画像印刷方法。
【請求項７】
撮影した被写体の画像の取得を制御する取得制御ステップと、
１つの筐体に固定されて設置される表示部に、前記取得制御ステップの処理により制御されて取得された複数の前記被写体の画像を、各画像の下方向が互いに角度を有するように、それぞれ異なる方向に表示するように制御する表示制御ステップと、
前記表示制御ステップの処理により制御されてそれぞれ異なる方向に表示された複数の前記画像毎に設けられた複数の入力部を制御し、それぞれの入力部において、各画像に対する編集入力を受け付けるように制御する入力受付制御ステップと、
前記入力受付制御ステップにより受け付けられた各画像に対する編集入力に基づいて各画像をそれぞれ編集する編集ステップと
をコンピュータに実行させることを特徴とするプログラム。
【請求項８】
被写体を撮影する撮影手段と、
前記撮影手段により撮影された前記被写体の画像をそれぞれ表示する複数の表示手段と、
前記複数の表示手段によりそれぞれ表示された前記画像に対する編集を入力する入力手段と、
前記入力手段による入力に基づいて前記画像を編集する編集手段と
を備え、
前記複数の表示手段は、筐体に配設されるレールに従って、それぞれスライド自在とされる
ことを特徴とする画像印刷装置。
【請求項９】
被写体を撮影する撮影ステップと、
前記撮影ステップの処理により撮影された前記被写体の画像を、筐体に配設されるレールに従って、それぞれスライド自在とされる複数の表示部に表示する表示ステップと、
前記表示ステップの処理により表示された前記画像に対する編集を入力する入力ステップと、
前記入力ステップの処理による入力に基づいて前記画像を編集する編集ステップと
を含むことを特徴とする画像印刷方法。
【請求項１０】
撮影した被写体の画像の取得を制御する取得制御ステップと、
前記取得制御ステップの処理により取得された前記画像を、筐体に配設されるレールに従って、それぞれスライド自在とされる複数の表示部に表示するように制御する表示制御ステップと、
前記表示制御ステップの処理により表示された前記画像に対する編集の入力を制御する入力制御ステップと、
前記入力制御ステップの処理による入力に基づいて前記画像を編集する編集ステップと
をコンピュータに実行させることを特徴とするプログラム。
【発明の詳細な説明】
【０００１】
【発明の属する技術分野】
本発明は、特に、複数のユーザが、より効率的に各種の操作を行うことができるようにする画像印刷装置および方法、並びにプログラムに関する。
【０００２】
【従来の技術】
従来、ユーザの画像を撮影し、これを予め用意されたフレーム画像と合成してシール紙などに印刷して提供する、いわゆるプリントクラブ（登録商標）などの画像印刷装置が知られている。
【０００３】
ところで、この画像印刷装置の中には、用意されている複数のタッチペンなどを利用して、複数のユーザが同時に撮影画像の編集などを行うことができるものも存在する。例えば、１つの画面の表示に対して複数のユーザが同時に各種の操作を行うことができる従来の装置として、図１に示されるような外観を有する画像印刷装置１がある。
【０００４】
例えば、第１のユーザは入力ペン１７−１を、第２のユーザは入力ペン１７−２をそれぞれ使用し、表示部１６に表示される案内に従って各種の処理を行う。具体的には、撮影装置１２のＣＣＤ（Ｃｈａｒｇｅ  Ｃｏｕｐｌｅｄ  Ｄｅｖｉｃｅ）カメラ１３により撮影された画像が表示部１６に表示されるため、第１、および第２のユーザは、表示部１６に表示される画像の編集を行い、編集が終了したとき、作成した編集画像を所定のシール紙に印刷させる。
【０００５】
【発明が解決しようとする課題】
しかしながら、図１に示されるような装置においては、第１、および第２のユーザが効率的に各種の操作を同時に行うことができないという課題があった。
【０００６】
例えば、入力ペン１７−１を利用した第１のユーザが、表示部１６の右端に表示されたボタンを操作するのと同時に、入力ペン１７−２を利用した第２のユーザが、表示部１６の左端に表示されたボタンを操作する場合、双方の体が邪魔し合い、効率的に操作を行うことができない。
【０００７】
この課題は、さらに多数の入力ペンが用意されており、２人以上で同時に各種の操作を行うことができる装置の場合、ますます深刻なものとなる。
【０００８】
本発明はこのような状況に鑑みてなされたものであり、より効率的に各種の操作を行うことができるようにしたものである。
【０００９】
【課題を解決するための手段】
本発明の第１の画像印刷装置は、被写体を撮影する撮影手段と、自分自身の１つの筐体に固定されて設置され、前記撮影手段により撮影された複数の前記被写体の画像を、各画像の下方向が互いに角度を有するように、それぞれ異なる方向に表示する表示手段と、前記表示手段によりそれぞれ異なる方向に表示された複数の前記画像毎に設けられ、それぞれ、各画像に対する編集入力を受け付ける複数の入力受付手段と、複数の前記入力受付手段により受け付けられた各画像に対する編集入力に基づいて各画像をそれぞれ編集する編集手段とを備えることを特徴とする。
【００１０】
撮影手段は、例えば、いわゆるディジタルカメラなどの撮影装置により構成され、例えば、表示手段は、ＬＣＤ（Ｌｉｑｕｉｄ  Ｃｒｙｓｔａｌ  Ｄｉｓｐｌａｙ）やＣＲＴ（Ｃａｔｈｏｄｅ  Ｒａｙ  Ｔｕｂｅ）により構成され、入力手段は、例えば、タッチパネルに各種の情報を入力するペン状の機器や、それにより入力された情報を処理するタッチパネル等により構成される。また、編集手段は、例えば、画像の編集を制御するＣＰＵ（Ｃｅｎｔｒａｌ  Ｐｒｏｃｅｓｓｉｎｇ  Ｕｎｉｔ）により構成される。
【００１１】
本発明の第１の画像印刷装置においては、被写体が撮影され、自分自身の１つの筐体に固定されて設置される表示部により、撮影された複数の被写体の画像が、各画像の下方向が互いに角度を有するように、それぞれ異なる方向に表示され、それぞれ異なる方向に表示された複数の画像毎に設けられた複数の入力部により、それぞれ、各画像に対する編集入力が受け付けられ、複数の入力部により受け付けられた各画像に対する編集入力に基づいて各画像がそれぞれ編集される。
【００１２】
従って、編集対象として選択された複数の画像が、それぞれ、互いに角度を有するように位置する複数のユーザに向けられて表示されるため、お互いが邪魔になることなく、効率的に編集等の各種の操作を行うことができる。
【００１３】
表示手段は、筐体の両側面からそれぞれ所定の距離だけ内部側の所定の位置に、筐体の前面から突出した状態で設けられているようにすることができる。
【００１４】
これにより、表示手段に対して各方向に位置するユーザがそれぞれ互いに邪魔し合うことなく、表示手段による表示に対して各種の操作を行うことができる。
【００１５】
編集対象として選択された複数の画像の表示位置の交換を指示する指示手段をさらに備え、表示手段は、指示手段により表示位置の交換が指示されたとき、複数の画像の表示位置をそれぞれ交換して表示するようにすることができる。
【００１６】
指示手段は、例えば、表示手段に表示されるだけでなく、表示手段に設定されるそれぞれのユーザ領域毎に表示されるようにしてもよいし、筐体の所定の位置に物理的に構成されるようにしてもよい。
【００１７】
指示手段を操作することにより、画像を交換し合うことができ、複数のユーザ間で共同して画像を編集することができる。
【００１８】
表示手段は、３つの画像を、撮影手段により撮影される正面、および、正面に対して左右のそれぞれに向けて表示するようにすることができる。
前記表示手段は、１つの表示部よりなり、撮影手段により撮影された複数の被写体の画像が、各画像の下方向が互いに角度を有するように、それぞれ異なる方向に表示された１つの画面を表示部に表示するようにすることができる。
【００１９】
この表示は、１つの表示手段に対してソフトウエア的に複数（例えば、３つ）の画像を表示させるようにしても良いし、表示手段を複数設置し、ハードウエア的に複数の画像を表示させるようにしても良い。
【００２０】
本発明の第１の画像印刷装置の画像印刷方法は、被写体を撮影するように制御する撮影制御ステップと、１つの筐体に固定されて設置される表示部に、前記撮影制御ステップの処理により制御されて撮影された複数の前記被写体の画像を、各画像の下方向が互いに角度を有するように、それぞれ異なる方向に表示するように制御する表示制御ステップと、前記表示制御ステップの処理により制御されてそれぞれ異なる方向に表示された複数の前記画像毎に設けられた複数の入力部を制御し、それぞれの入力部において、各画像に対する編集入力を受け付けるように制御する入力受付制御ステップと、前記入力受付制御ステップにより受け付けられた各画像に対する編集入力に基づいて各画像をそれぞれ編集する編集ステップとを含むことを特徴とする。
【００２１】
本発明の第１の画像印刷装置の画像印刷方法においては、撮影された被写体の複数の画像が、それぞれ互いに角度を有するように異なる方向に表示される。
【００２２】
この第１の画像印刷方法によれば、本発明の第１の画像印刷装置と同様の効果を奏することが可能である。
【００２３】
本発明の第１のプログラムは、撮影した被写体の画像の取得を制御する取得制御ステップと、１つの筐体に固定されて設置される表示部に、前記取得制御ステップの処理により制御されて取得された複数の前記被写体の画像を、各画像の下方向が互いに角度を有するように、それぞれ異なる方向に表示するように制御する表示制御ステップと、前記表示制御ステップの処理により制御されてそれぞれ異なる方向に表示された複数の前記画像毎に設けられた複数の入力部を制御し、それぞれの入力部において、各画像に対する編集入力を受け付けるように制御する入力受付制御ステップと、前記入力受付制御ステップにより受け付けられた各画像に対する編集入力に基づいて各画像をそれぞれ編集する編集ステップとをコンピュータに実行させることを特徴とする。
【００２７】
本発明の第２の画像印刷装置は、被写体を撮影する撮影手段と、撮影手段により撮影された被写体の画像をそれぞれ表示する複数の表示手段と、複数の表示手段によりそれぞれ表示された画像に対する編集を入力する入力手段と、入力手段による入力に基づいて画像を編集する編集手段とを備え、複数の表示手段は、筐体に配設されるレールに従って、それぞれスライド自在とされることを特徴とする。
【００２８】
本発明の第２の画像印刷装置の構成は、基本的に、上述した本発明の第１の画像印刷装置の構成と同様であり、撮影手段は、例えば、いわゆるディジタルカメラなどの撮影装置により構成され、例えば、表示手段は、ＬＣＤやＣＲＴにより構成され、入力手段は、例えば、タッチパネルに各種の情報を入力するペン状の機器や、それにより入力された情報を処理するタッチパネル等により構成される。また、編集手段は、例えば、画像の編集を制御するＣＰＵにより構成される。
【００２９】
本発明の第２の画像印刷装置においては、撮影された被写体の画像が表示され、表示された画像に対する編集が入力され、入力に基づいて画像が編集される。また、被写体の画像が表示される表示手段が筐体に配設されるレールに従って、それぞれスライド自在とされるように構成される。
【００３０】
従って、ユーザは、表示手段を移動させ、表示手段による表示に対して各種の操作を効率的に行うことができる。
【００３４】
表示手段をこのように構成することによっても、複数のユーザが、お互い邪魔することなく、効率的に編集等の各種の操作を行うことができる。また、お互いの位置を移動することなく、編集対象の画像を交換することができ、所定の画像に対して編集を共同して行うことができる。
【００３６】
また、例えば、第１の表示手段を利用しているユーザが画像の編集を終了し、所定の「終了ボタン」を操作したとき、その画像が、第２の表示手段において、編集対象画像を選択するための画像の一覧であるサムネイルに加えられるようにしても良い。また、第１の表示手段を利用しているユーザと、第２の表示手段を使用しているユーザが共に画像の編集を終了したとき、双方の画像が交換され、双方の表示手段にそれぞれの画像が表示されるようにしても良い。
【００３７】
本発明の第２の画像印刷装置の画像印刷方法は、被写体を撮影する撮影ステップと、撮影ステップの処理により撮影された被写体の画像を、筐体に配設されるレールに従って、それぞれスライド自在とされる複数の表示部に表示する表示ステップと、表示ステップの処理により表示された画像に対する編集を入力する入力ステップと、入力ステップの処理による入力に基づいて画像を編集する編集ステップとを含むことを特徴とする。
【００３８】
本発明の第２の画像印刷装置の画像印刷方法においては、被写体が撮影され、その撮影された被写体の画像が、筐体に配設されるレールに従って、それぞれスライド自在とされる複数の表示部に表示され、その表示された画像に対する編集が入力され、その入力に基づいて画像が編集される。
【００３９】
この第２の画像印刷方法によれば、本発明の第２の画像印刷装置と同様の効果を奏することが可能である。
【００４０】
本発明の第２のプログラムは、撮影した被写体の画像の取得を制御する取得制御ステップと、取得制御ステップの処理により取得された画像を、筐体に配設されるレールに従って、それぞれスライド自在とされる複数の表示部に表示するように制御する表示制御ステップと、表示制御ステップの処理により表示された画像に対する編集の入力を制御する入力制御ステップと、入力制御ステップの処理による入力に基づいて画像を編集する編集ステップとをコンピュータに実行させることを特徴とする。
【００４３】
【発明の実施の形態】
図２は、本発明を適用した画像印刷装置１の外観の構成例を示す斜視図である。図１の従来の画像印刷装置と同様の構成については、同一の符号を付してある。
【００４４】
筐体１１の垂直な面１１ａには、その上方の中央に撮影装置１２が設けられている。撮影装置１２は、面１１ａに設けられているレール（図示せず）に沿って、上下方向に移動可能とされている。従って、被写体であるユーザは、撮影装置１２を上下方向に移動させて、好みの角度で撮影することができる。
【００４５】
撮影装置１２は、被写体を撮影するためのＣＣＤ（Ｃｈａｒｇｅ  Ｃｏｕｐｌｅｄ  Ｄｅｖｉｃｅ）カメラ１３と、ＣＣＤカメラ１３により取り込まれている画像（動画像）を表示する取り込み画像表示部１４により構成されている。
【００４６】
撮影装置１２の左右には、フラッシュ照射部１５−１、および１５−２が設けられており、フラッシュ照射部１５−１、および１５−２は、筐体１１の内部に設けられている照明装置からのフラッシュ光を透過し、被写体を照射する。
【００４７】
面１１ａの左端、および右端からそれぞれ所定の距離だけ内側であって、面１１ａに臨む場所に立ったユーザの手元付近の高さに相当する位置には、若干斜め上方を向いている面１１ｂが形成されており、面１１ｂの中央には、ＬＣＤ（Ｌｉｑｕｉｄ  Ｃｒｙｓｔａｌ  Ｄｉｓｐｌａｙ）、またはＣＲＴ（Ｃａｔｈｏｄｅ−Ｒａｙ  Ｔｕｄｅ）により構成される表示部１６が設けられている。
【００４８】
表示部１６には、撮影した画像の他に、撮影処理や印刷処理の進行段階に応じて、様々な選択ボタン、或いはメッセージなどが表示され、ユーザは、表示部１６の近傍に設けられる入力ペン１７−１乃至１７−３を利用して、撮影処理等を行う。従って、図１の画像印刷装置１においては、表示部１６の表示に対して、３人のユーザが各種の操作を同時に行うことができる。
【００４９】
なお、面１１ｂの縁から面１１ａの最下部の縁を結んだ面として、若干斜め下方を向いた面１１ｃが形成されている。また、面１１ａ、面１１ｂ、および面１１ｃにより囲まれる空間の側面として、面１１ｄと面１１ｅがそれぞれ形成されている。
【００５０】
すなわち、面１１ａ、面１１ｂ、面１１ｃ、および面１１ｄにより囲まれる表示ユニット１１Ａのみが、一部突出した状態で筐体１１に形成されており、面１１ｂの３方の縁に沿って、３人のユーザが表示部１６を取り囲み、面１１ｅの正面に位置するユーザが入力ペン１７−１を、面１１ａ（面１１ｃ）の正面に位置するユーザが入力ペン１７−２を、面１１ｄの正面に位置するユーザが入力ペン１７−３をそれぞれ利用し、表示部１６の表示に対して各種の操作を同時に行うことができる。
【００５１】
後に詳述するように、３人のユーザは、入力ペン１７−１乃至１７−３をそれぞれ利用して撮影を行い、その後、表示部１６に表示される画像に対して、同時に、いわゆる落書き（編集）を施すことができる。
【００５２】
面１１ａの照明装置１５−２の下には、硬貨投入口１８が設けられている。ユーザは、画像印刷装置１を利用して撮影するとき、所定の代金を硬貨投入口１８に投入する。
【００５３】
筐体１１の右側面の面１１ｆには、シール取出口１９が設けられており、編集が施された画像が、所定の数に分割されたシール紙に印刷され、シール取出口１９から排出される。
【００５４】
図３は、図２の画像印刷装置１の内部の構成例を示すブロック図である。上述したものと同様の構成について、その詳細な説明は適宜省略する。
【００５５】
パーソナルコンピュータなどよりなる制御装置３１は、画像印刷装置１の全体の動作を制御する。具体的には、制御装置３１に設けられているＣＰＵ（Ｃｅｎｔｒａｌ  Ｐｒｏｃｅｓｓｉｎｇ  Ｕｎｉｔ）４１により、図示せぬＲＯＭ（Ｒｅａｄ  Ｏｎｌｙ  Ｍｅｍｏｒｙ）やハードディスクに記憶されているプログラムに従って、各種の処理が実行される。
【００５６】
硬貨処理部３２は、ユーザにより所定の代金が硬貨投入口１８に投入されたとき、それを検出し、制御装置３１に通知する。照明制御部３３は、制御装置３１からの指示に基づいて、撮影装置１２が被写体を撮影するタイミングに合わせてフラッシュ光を出射する。出射されたフラッシュ光は、図２のフラッシュ照射部１５−１、および１５−２を介して被写体（ユーザ）を照射する。
【００５７】
面１１ｂに設けられている表示部１６にはタッチパネル３４が積層されている。タッチパネル３４は、入力ペン１７−１乃至１７−３により入力されたユーザからの指示を制御装置３１に出力する。
【００５８】
プリンタユニット３５は、プリンタ部４２と制御タグリーダライタ４３により構成され、プリンタユニット３５に装着されるシール紙ユニット３６は、シール紙４４と、個々のシール紙ユニット３６を識別する識別情報等を管理する制御タグ４５により構成される。
【００５９】
プリンタ部４２は、編集処理等が施された画像データが制御装置３１から供給されたとき、供給された画像データを、複数のシールが所定の位置、および大きさに配置されてなるシール紙４４に印刷し、シール紙４４をシール取出口１９に排出する。
【００６０】
制御タグリーダライタ４３は、制御タグ４５に記憶されている識別情報を接触、または非接触により読み出し、制御装置３１に出力する。制御装置３１は、制御タグリーダライタ４３から供給された識別情報に基づいて、装着されているシール紙ユニット３６が、図２の画像印刷装置１において利用可能なユニットであるか否かを判定し、利用可能なユニットであると判定したときにのみ、プリンタ部４２等を動作可能にする。すなわち、制御装置３１により、画像印刷装置１において利用可能とされるシール紙ユニットの識別情報が管理されている。
【００６１】
これにより、画像印刷装置１に対応していない（純正のものでない）シール紙が利用されるのを抑制することができる。また、制御タグ４５により、シール紙４４の残量等も管理される。なお、シール紙ユニットが純正のものであるか否かを、シール紙ユニットにプリントされているバーコードなどにより確認させるようにしてもよい。
【００６２】
次に、図２の画像印刷装置１の動作について説明する。
【００６３】
始めに、図４のフローチャートを参照して、画像印刷装置１の画像印刷処理について説明する。
【００６４】
ステップＳ１において、制御装置３１のＣＰＵ４１は、硬貨処理部３２からの出力に基づいて、撮影を開始するユーザがいるか否か、すなわち、代金が投入されたか否かを判定し、所定の代金が投入されたと判定するまで待機する。
【００６５】
ＣＰＵ４１は、ステップＳ１において、所定の代金が投入されたと判定した場合、ステップＳ２に進み、撮影の方法を案内する案内画面を表示部１６に表示するなどして撮影処理を開始する。ＣＰＵ４１は、ＣＣＤカメラ１３により被写体を撮影するとき、照明制御部３３を制御し、フラッシュ光を出射する。照明制御部３３から出射されたフラッシュ光は、フラッシュ照射部１５−１、および１５−２を透過し、被写体を照射する。
【００６６】
このような撮影処理が実行され、編集処理において編集する画像が所定の数だけ選択されたとき、ＣＰＵ４１は、ステップＳ３に進み、編集処理を行う。すなわち、ＣＰＵ４１は、編集対象として選択された画像を表示部１６に表示し、タッチパネル３４からの入力に基づいて、選択された画像を編集する。編集処理の詳細については、図５のフローチャートを参照して後述する。
【００６７】
編集処理を終了したとき、ＣＰＵ４１は、ステップＳ４において、編集処理により編集され、生成された合成画像をシール紙４４に印刷する。すなわち、ＣＰＵ４１は、合成画像データをプリンタユニット３５のプリンタ部４２に転送し、シール紙４４に印刷させ、処理を終了する。
【００６８】
次に、図５のフローチャートを参照して、図４のステップＳ３において実行される編集処理について説明する。
【００６９】
ステップＳ１１において、ＣＰＵ４１は、編集画面を表示し、編集対象として選択された画像（以下、編集対象画像と称する）を表示部１６に表示する。
【００７０】
図６は、編集対象画像の表示例を示す図である。白抜き矢印で示されるように、表示部１６の上方が図２の面１１ａの方向に対応し、表示部１６の下方が面１１ｃの方向に対応している。従って、表示部１６の左方が面１１ｅの方向に対応しており、表示部１６の右方が面１１ｄの方向に対応している。
【００７１】
図６に示されるように、表示部１６には、面１１ｅ側に位置し、入力ペン１７−１を利用して表示部１６の表示に対して各種の操作を行う第１のユーザの領域としてユーザ領域６１−１が設定され、面１１ｃ側に位置し、入力ペン１７−２を利用して表示部１６の表示に対して各種の操作を行う第２のユーザの領域としてユーザ領域６１−２が設定され、面１１ｄ側に位置し、入力ペン１７−３を利用して表示部１６の表示に対して各種の操作を行う第３のユーザの領域としてユーザ領域６１−３が設定される。
【００７２】
表示部１６のユーザ領域６１−１には、第１のユーザにより選択された編集対象画像が表示される編集対象画像表示部７１−１と、編集のツール（種類）を選択するとき操作されるツール選択ボタン７２−１乃至７５−１が表示される。
【００７３】
例えば、編集のツールとして、入力ペン１７−１の軌跡に応じて所定の文字や記号を入力するペンツール、予め用意されている所定の画像を、入力ペン１７−１を当接させた位置に入力するスタンプツール、ペンツールにより入力したペン画像や、スタンプツールにより入力したスタンプ画像を消去する消しゴムツールなどが用意されている。
【００７４】
例えば、第１のユーザは、ペンツールにより編集対象画像を編集するとき、ツール選択ボタン７２−１を操作することにより表示されるメニューの中から好みのペンツールを選択し、入力ペン１７−１の軌跡に沿ってペン画像を入力する。また、第１のユーザは、スタンプツールにより編集対象画像を編集するとき、ツール選択ボタン７３−１、または７４−１を操作することにより表示されるメニューの中から好みのスタンプ画像を選択し、入力ペン１７−１を当接した位置にスタンプ画像を入力する。さらに、第１のユーザは、消しゴムツールを利用するとき、ツール選択ボタン７５−１を操作し、入力ペン１７−１の軌跡に沿ってペン画像やスタンプ画像を消去する。
【００７５】
図６の例においては、第１のユーザにより選択された、被写体が１人だけ写っている画像が編集対象画像として編集対象画像表示部７１−１に表示されており、所定のペンツールにより「ヤッホー！」のペン画像が入力されている。なお、第１のユーザが編集等を容易に行うことができるように、編集対象画像表示部７１−１に表示されている編集対象画像は、面１１ｅ方向（図６の左方向）を画像の下方向として表示されている。
【００７６】
また、同様に、ユーザ領域６１−２には、第２のユーザにより選択された編集対象画像が編集対象画像表示部７１−２に表示され、その右側にツール選択ボタン７２−２乃至７５−２が表示されている。なお、２人の被写体が写っている画像が編集対象画像として選択されており、３つの星型のスタンプ画像が編集対象画像に入力され、編集対象画像表示部７１−２に表示されている。編集対象画像表示部７１−２に表示されている編集対象画像も同様に、面１１ｃ側に位置するユーザが編集等を容易に行うことができるように、面１１ｃ方向を画像の下方向として表示されている。
【００７７】
ユーザ領域６１−３には、第３のユーザにより選択された編集対象画像が編集対象画像表示部７１−３に表示され、その右側にツール選択ボタン７２−３乃至７５−３が表示されている。なお、２人の被写体が写っている画像が編集対象画像として選択されており、ハート型のスタンプ画像と、所定のペンツールによる「Ｌｏｖｅ」のペン画像が編集対象画像に入力され、編集対象画像表示部７１−３に表示されている。また、面１１ｄ側に位置するユーザが編集等を容易に行うことができるように、面１１ｄ方向を画像の下方向として表示されている。
【００７８】
このように、それぞれのユーザにより使用される領域を用意し、それぞれのユーザの位置に応じて、画像や各種の選択ボタン等が表示されるようにしたので、３人のユーザが、それぞれ効率的に画像の編集を行うことができる。また、図６に示されるように、それぞれのユーザが、それぞれ異なる画像を編集することができ、撮影処理において保存しておいた、より多くの画像を編集することができる（編集作業を分担して行うことができる）。
【００７９】
図６の例においては、編集対象画像を交換するとき操作される画像交換ボタン８１が表示部１６に表示されている。
【００８０】
図５の説明に戻り、ステップＳ１３において、ＣＰＵ４１は、編集対象画像の交換が指示されたか否かを判定し、画像交換ボタン８１がいずれかのユーザにより操作され、画像の交換が指示されたと判定した場合、ステップＳ１４に進み、それぞれのユーザ領域に表示されている編集対象画像を交換して表示する。
【００８１】
例えば、図６に示されるような画像が編集対象画像表示部７１−１乃至７１−３にそれぞれ表示されている状態において、画像交換ボタン８１が操作されたとき、ＣＰＵ４１は、図７に示されるように、編集対象画像表示部７１−１に表示されていた画像を編集対象画像表示部７１−２に表示させ、編集対象画像表示部７１−２に表示されていた画像を編集対象画像表示部７１−３に表示させ、編集対象画像表示部７１−３に表示されていた画像を編集対象画像表示部７１−１に表示させる。
【００８２】
すなわち、ＣＰＵ４１は、編集対象として選択されている画像を左回りの方向に順次移動し、かつ、それぞれのユーザが編集等を容易に行うことができるように画像の方向を適宜変更させ、それぞれの編集対象画像表示部に表示させる。
【００８３】
その後、第１のユーザは、第３のユーザがそれまで編集を行っていた画像に対して編集を行い、第２のユーザは、第１のユーザがそれまで編集を行っていた画像に対して編集を行い、さらに、第３のユーザは、第２のユーザがそれまで編集を行っていた画像に対して編集を行う。
【００８４】
これにより、複数のユーザ間で画像を回して編集することとなり、それぞれのユーザにより共同して編集された画像を印刷することができる。また、それぞれのユーザが他のユーザの邪魔になることなく、効率的に、共同して画像を編集することができる。
【００８５】
なお、図８に示されるように、第１のユーザにより入力された編集を、第３のユーザにより選択されている編集対象画像に対する編集とし、第２のユーザにより入力された編集を、第１のユーザにより選択されている編集対象画像に対する編集とし、第３のユーザにより入力された編集を、第２のユーザにより選択されている編集対象画像に対する編集とするように、それぞれの編集対象画像に対して入力されたペン画像、またはスタンプ画像のみを、例えば、右回りの方向に順次移動して表示するようにしてもよい。
【００８６】
また、画像交換ボタン８１が操作されたとき、交換の方法を選択するメニューが表示され、上述したものの他に、例えば、第１のユーザと第２のユーザ間でのみ、編集対象画像またはペン画像等を交換する、或いは、第１のユーザと第３のユーザ間でのみ、編集対象画像またはペン画像等を交換するといったように、各種の交換方法を選択できるようにしてもよい。
【００８７】
さらに、画像の交換等を指示するとき操作される画像交換ボタン８１は、図６に示されるように、表示部１６のほぼ中央に表示されるのではなく、それぞれのユーザ領域に用意されるようにしてもよいし、面１１ｂ上に物理的に配置されるようにしてもよい。
【００８８】
図５の説明に戻り、ステップＳ１４で画像を表示させた場合、または、ステップＳ１３で画像の交換が指示されていないと判定した場合、ＣＰＵ４１は、ステップＳ１５において、次に、編集を終了することが指示されたか否かを判定し、指示されていないと判定した場合、ステップＳ１２に戻り、以上の処理を繰り返し実行する。
【００８９】
一方、ステップＳ１５において、ＣＰＵ４１は、編集を終了することが指示されたと判定した場合、図４のそれ以降の処理を実行する。すなわち、以上のように、画像の交換等が行われ、それぞれのユーザにより共同して編集された画像がシール紙４４に印刷されて、シール取出口１９から排出される。
【００９０】
以上のように、表示ユニット１１Ａのみを筐体１１から突出した状態で構成し、そこに設けられている表示部１６に表示される画像を、３方に向かってそれぞれ表示するようにしたので、３人のユーザそれぞれが邪魔となることなく、効率的に各種の操作を行うことができる。
【００９１】
なお、筐体１１の最下端の、面１１ａと面１１ｃの接合部にヒンジを設け、撮影時には、表示ユニット１１Ａを筐体１１の内部に収納できるようにしてもよい。すなわち、表示ユニット１１Ａが筐体１１の内部に収納されたとき、筐体１１の正面には平坦面が形成される。
【００９２】
以上においては、図６等に示されるように、編集対象の画像等が３方向に表示されるようにしたが、様々なユーザ領域の表示パターンが予め用意されており、ユーザが、利用する人数に応じて表示パターンを選択できるようにしてもよい。
【００９３】
また、以上においては、１つの表示部１６に対して複数のユーザ領域が用意され、ソフトウエア的に複数の画像が表示されるとしたが、表示ユニット１１Ａに複数の表示部を設け、複数の画像の表示がハードウエア的に行われるようにしても良い。この場合、例えば、図６のそれぞれのユーザ領域に対応する位置に、表示部がそれぞれ設けられる。
【００９４】
さらに、以上においては、画像交換ボタン８１等が操作されたタイミングで画像が交換されるとしたが、例えば、編集が施された画像が、他のユーザのユーザ領域に表示される、編集対象画像を選択する画像の一覧に加えられるようにしても良い。一覧に加えられた画像を選択することで、ユーザは、他のユーザにより編集が施された画像に対して、編集をさらに加えることができる。また、それぞれのユーザが編集を終了し、所定の「終了ボタン」を操作したタイミングでそれぞれの画像が交換されるようにしても良い。
【００９５】
図９、および図１０は、本発明を適用した画像印刷装置１の他の構成例を示す斜視図である。図２の構成と対応する部分については同一の符号を付してあり、重複する部分について、その説明は適宜省略する。
【００９６】
筐体１１の若干上方を向いている面１１ｂには、図１０に示されるような凹部１１１−１、および１１１−２が形成されており、凹部１１１−１、および１１１−２には、表示ユニット１０１−１、および１０１−２がそれぞれ載置可能になされている。従って、図９は、表示ユニット１０１−１、および１０１−２が凹部１１１−１、および１１１−２にそれぞれ載置された状態を示している。
【００９７】
表示ユニット１０１−１、および１０１−２には、ＬＣＤなどよりなる表示部１６−１、および１６−２がタッチパネルに積層してそれぞれ設けられており、ユーザは、例えば、表示ユニット１０１−１を凹部１１１−１から取り外し、表示部１６−１の表示に対して入力ペン１７−１を利用し、各種の操作を行うことができる。
【００９８】
表示ユニット１０１−１、および１０１−２に入力された指示は、それぞれ、図１０のケーブル１１２−１、および１１２−２を介して筐体１１に供給され、指示に応じた処理が行われる。
【００９９】
なお、図１０においては、ユーザからの代金の投入を受け付ける硬貨投入口１８は、垂直な面１１ｃの中央上方に設けられており、画像が印刷されたシール紙が排出されるシール取出口１９は、筐体１１の左側面の面１１ｇに設けられている。
【０１００】
図１１は、図９、および図１０に示される画像印刷装置１の内部の構成例を示すブロック図である。
【０１０１】
表示ユニット１０１−１は、表示部１６−１とタッチパネル３４−１から構成され、表示部１６−１は、制御装置３１からケーブル１１２−１を介して供給されてきた情報に対応する画像を表示し、タッチパネル３４−１は、ユーザからの指示を、ケーブル１１２−１を介して制御装置３１に供給する。
【０１０２】
同様に、表示ユニット１０１−２の表示部１６−２は、制御装置３１からケーブル１１２−２を介して供給されてきた情報に対応する画像を表示し、タッチパネル３４−２は、ユーザからの指示を、ケーブル１１２−２を介して制御装置３１に供給する。
【０１０３】
このような構成を有する図９、および図１０の画像印刷装置１においても、図４を参照して説明したような処理が実行され、図４のステップＳ３において、撮影された画像に対する編集処理が行われる。
【０１０４】
すなわち、表示部１６−１、および１６−２には、ＣＣＤカメラ１３により撮影された画像が表示されるため、第１のユーザは、表示ユニット１０１−１を凹部１１１−１から取り外し、上述したような各種のツールを利用して、入力ペン１７−１により画像を編集することができ、第２のユーザは、表示ユニット１０１−２を凹部１１１−２から取り外し、入力ペン１７−２により画像を編集することができる。
【０１０５】
このように、編集対象の画像等が表示される表示ユニットを、筐体１１に対して着脱可能に構成することにより、第１のユーザと第２のユーザの間で表示ユニットを交換することができ、図２の画像印刷装置１の場合と同様に、双方の操作を邪魔することなく効率的に編集を行うことができる。また、双方の位置を移動することなく編集対象の画像を交換することができる。
【０１０６】
なお、図９等に示される表示ユニットと同様の構成を有する表示ユニットが、さらに多数設けられるようにしてもよい。これにより、さらに多くのユーザの間で表示ユニットを交換し合うことができ、多数のユーザの間で共同して画像を編集することができる。当然、このような画像の交換をソフトウエア的に行わせるようにしてもよい。
【０１０７】
また、筐体１１と表示ユニットの間が、例えば、Ｂｌｕｅｔｏｏｔｈ（登録商標）、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１ａ，８０２．１１ｂ，８０２．１１ｇ（無線ＬＡＮ（Ｌｏｃａｌ  Ａｒｅａ  Ｎｅｔｗｏｒｋ））などにより無線で接続されるようにしてもよい。
【０１０８】
図１２は、本発明を適用した画像印刷装置１のさらに他の構成例を示す斜視図であり、図９等に示される構成と同一の部分については同一の符号を付してある。
【０１０９】
面１１ｂのほぼ全面には、凹部１２１が形成されており、この凹部１２１に表示ユニット１０１−１、および１０１−２が埋設されている。表示ユニット１０１−１、および１０１−２は、それぞれ、自身の上方（面１１ａ方向）と下方（面１１ｃ方向）に横架されるレール１３１乃至１３４（図１３）に従って、スライド自在とされており、第１のユーザと第２のユーザは、それぞれが使用していた表示ユニットをスライドさせ、使用する表示ユニットを交換することができる。
【０１１０】
図１３は、図１２の面１１ｂの構成例を示す平面図であり、図１４は、面１１ｂの断面の例を示す図である。図１３において、図の上方は面１１ａが形成されている方向に対応し、図の下方は、面１１ｃが形成されている方向に対応する。
【０１１１】
図１３に示されるように、凹部１２１の上方には、レール１３１、および１３２が横架され、表示ユニットを挟んで凹部１２１の下方には、レール１３３、および１３４が横架されている。このレール１３１乃至１３４のうち、表示ユニット１０１−１は、部材１４１と部材１４２を介してレール１３２とレール１３３によりスライド自在に掛止される。また、表示ユニット１０１−２は、部材１４３と部材１４４を介してレール１３１とレール１３４によりスライド自在に掛止される。
【０１１２】
具体的には、図１４に示されるように、部材１４１の接合部１４１ａの上面とレール１３２の下面がスライド自在に掛止され、部材１４２の接合部１４２ａの上面とレール１３３の下面がスライド自在に掛止される。また、部材１４３の接合部１４３ａの上面とレール１３１の下面がスライド自在に掛止され、部材１４４の接合部１４４ａの上面とレール１３４の下面がスライド自在に掛止される。
【０１１３】
部材１４１、および１４２よりも、部材１４３、および１４４の方が大きく形成されているため、表示ユニット１０１−１と１０１−２がスライドされ、重なり合うとき、表示ユニット１０１−１が表示ユニット１０１−２の下方（凹部１２１の底面方向）を通り、それぞれの表示ユニットの位置が交換される。表示ユニット１０１−１、および１０１−２は、電動により、または、ユーザによる付勢によりそれぞれの場所が移動される。なお、ＦＰＣ（フレキシブルプリント配線板）などによる制御装置３１等との電気的な接続は、中空に形成されている部材１４１乃至１４４を介して確立されている。
【０１１４】
図１３において、表示ユニット１０１−１の表示部１６−１には、撮影した画像がサムネイル表示されるサムネイル表示部１５１−１、サムネイル表示部１５１−１に表示されている画像の中から、編集対象の画像として選択された画像が拡大表示される編集対象画像表示部１５２−１、上述したような各種の編集ツールを選択するとき操作されるツール選択ボタン１５３−１乃至１５６−１が表示されている。
【０１１５】
また、同様に、表示ユニット１０１−２の表示部１６−２には、撮影した画像がサムネイル表示されるサムネイル表示部１５１−２、編集対象の画像として選択された画像が拡大表示される編集対象画像表示部１５２−２、および、ツール選択ボタン１５３−２乃至１５６−２が表示されている。
【０１１６】
表示部１６−１においては、サムネイル表示部１５１−１に表示されている画像のうち、上段中央に表示されている画像が編集対象画像として選択されており、表示部１６−２においては、サムネイル表示部１５１−２に表示されている画像のうち、上段右側に表示されている画像が編集対象画像として選択されている。
【０１１７】
図１５は、図１２に示される画像印刷装置１の内部の構成例を示すブロック図である。図１１の構成と同一の部分について、その説明は適宜省略する。
【０１１８】
駆動制御部１７１は、ＣＰＵ４１からの制御に基づいて、表示ユニット１０１−１、および１０１−２を、凹部１２１に配設されているレール１３１乃至１３４に沿って移動させる。
【０１１９】
このような構成を有する図１２の画像印刷装置１により、図４を参照して説明したものと同様の処理が行われ、ステップＳ３で、撮影した画像を編集する編集処理が実行される。
【０１２０】
次に、図１６のフローチャートを参照して、図４のステップＳ３において実行される、図１２の画像印刷装置１の処理について説明する。
【０１２１】
ステップＳ２１において、ＣＰＵ４１は、例えば、図１３に示されるような編集画面を表示部１６−１、および１６−２にそれぞれ表示する。ＣＰＵ４１は、ステップＳ２２において、タッチパネル３４−１からの入力に応じて、表示部１６−１において編集対象として選択されている画像を編集し、タッチパネル３４−２からの入力に応じて、表示部１６−２において編集対象として選択されている画像を編集する。
【０１２２】
そして、ＣＰＵ４１は、ステップＳ２３において、画像の交換、すなわち、表示ユニット１０１−１、および１０１−２の場所の移動が指示されたか否かを判定する。例えば、表示ユニット１０１−１、および１０１−２の場所の移動を指示するとき操作されるボタンが面１１ｂの所定の位置に設けられており、ユーザは、表示ユニット１０１−１、および１０１−２の場所を移動させるとき、それを操作する。
【０１２３】
ステップＳ２３において、ＣＰＵ４１は、画像の交換が指示されたと判定した場合、ステップＳ２４に進み、駆動制御部１７１に対して、表示ユニット１０１−１と、１０１−２の場所を移動させる。
【０１２４】
これにより、例えば、図１３に示されるように、表示ユニット１０１−１が面１１ｂの左側に、表示ユニット１０１−２が面１１ｂの右側にそれぞれ位置している状態から、図１７に示されるように、表示ユニット１０１−２が面１１ｂの左側に、表示ユニット１０１−１が面１１ｂの右側にそれぞれ位置する状態に変更される。
【０１２５】
これにより、表示ユニット１０１−１を利用し、編集を行っていた第１のユーザは、それまで第２のユーザが利用していた表示ユニット１０１−２を利用して、その後の編集を行うことができる。また、反対に、表示ユニット１０１−２を利用し、編集を行っていた第２のユーザは、それまで第１のユーザが利用していた表示ユニット１０１−１を利用して、その後の編集を行うことができる。すなわち、双方のユーザが場所を移動することなく、編集する画像を交換することができるとともに、共同して画像を編集することができる。
【０１２６】
以上においては、図１２の画像印刷装置１には、２つの表示ユニットが用意されるとしたが、当然、さらに多数の表示ユニットを用意するようにしてもよい。
【０１２７】
また、以上においては、表示ユニット１０１−１、および１０１−２がそれぞれ交換されることにより画像の交換が行われるとしたが、このような画像の交換がソフトウエア的に行われるようにしてもよい。さらに、表示ユニット１０１−１において編集された画像、および、表示ユニット１０１−２において編集された画像が相手方の表示ユニットにそれぞれ転送され、それぞれの表示ユニットのサムネイル表示部に加えられるようにしても良い。
【０１２８】
【発明の効果】
以上のように、本発明によれば、より効率的に、各種の操作を行うことができる。
【図面の簡単な説明】
【図１】従来の画像印刷装置の外観の例を示す斜視図である。
【図２】本発明を適用した画像印刷装置の外観の例を示す斜視図である。
【図３】図２の画像印刷装置の構成例を示すブロック図である。
【図４】図２の画像印刷装置の処理を説明するフローチャートである。
【図５】図４のステップＳ３において実行される処理を説明するフローチャートである。
【図６】編集画面の表示例を示す図である。
【図７】編集画面の他の表示例を示す図である。
【図８】編集画面のさらに他の表示例を示す図である。
【図９】本発明を適用した他の画像印刷装置の外観の例を示す斜視図である。
【図１０】本発明を適用した他の画像印刷装置の他の外観の例を示す斜視図である。
【図１１】図９の画像印刷装置の構成例を示すブロック図である。
【図１２】本発明を適用したさらに他の画像印刷装置の外観の例を示す斜視図である。
【図１３】図１２の画像印刷装置の面１１ｂの構成例を示す図である。
【図１４】図１３の画像印刷装置の面１１ｂの断面の例を示す図である。
【図１５】図１２の画像印刷装置の構成例を示すブロック図である。
【図１６】ステップＳ３において実行される、図１２の画像印刷装置の処理を説明するフローチャートである。
【図１７】図１２の画像印刷装置の面１１ｂの他の構成例を示す図である。
【符号の説明】
１  画像印刷装置
１３  ＣＣＤカメラ
１６  表示部
１７−１乃至１７−３  入力ペン
３１  制御装置
３４  タッチパネル
３５  プリンタユニット
３６  シール紙ユニット
４１  ＣＰＵ
４２  プリンタ部
４３  制御タグリーダライタ
４４  シール紙
４５  制御タグ
【図１】
0003578137.tif 000002
【図２】
0003578137.tif 000003
【図３】
0003578137.tif 000004
【図４】
0003578137.tif 000005
【図５】
0003578137.tif 000006
【図６】
0003578137.tif 000007
【図７】
0003578137.tif 000008
【図８】
0003578137.tif 000009
【図９】
0003578137.tif 000010
【図１０】
0003578137.tif 000011
【図１１】
0003578137.tif 000012
【図１２】
0003578137.tif 000013
【図１３】
0003578137.tif 000014
【図１４】
0003578137.tif 000015
【図１５】
0003578137.tif 000016
【図１６】
0003578137.tif 000017
【図１７】
0003578137.tif 000018